(57)【要約】【課題】設定確認及び設定変更をより容易に行うことができる画像形成装置を提供する。【解決手段】外部から送信されるプリントジョブを受信するプリントコントローラ５５と、プリントジョブに基づいてプリントを行うプリント部２と、を備える画像形成装置１００において、プリントジョブにプリント部２によるプリント実行を待機させる待機情報が含まれているか否かを判断し、プリントジョブに待機情報が含まれていると判断した場合に、表示部４１に、プリントジョブに対して設定されている設定状態を表示させるとともに選択可能な全ての選択肢を表示する設定確認画面Ｇ１を表示させる制御部５６と、を備えた。【選択図】図１
2008179113.tif 000002
【特許請求の範囲】
【請求項１】
外部から送信されるプリントジョブを受信するコントローラと、前記プリントジョブに基づいてプリントを行うプリント部と、を備える画像形成装置において、
前記プリントジョブに、前記プリント部によるプリント実行を待機させる待機情報が含まれているか否かを判断し、前記プリントジョブに前記待機情報が含まれていると判断した場合に、表示部に、前記プリントジョブに対して設定されている設定状態を表示すると共に設定可能な全ての選択肢を一画面で表示する設定確認画面を表示させる制御部を備えることを特徴とする画像形成装置。
【請求項２】
前記制御部は、
前記画像形成装置における機能に関して、前記機能を設定しないことを示す選択肢を前記設定確認画面に表示させることを特徴とする請求項１に記載の画像形成装置。
【請求項３】
ユーザにより、前記設定確認画面において表示されている選択肢のうち所望する選択肢が選択された際に、前記制御部は、ユーザによる選択に基づいて、前記プリントジョブに対する前記機能の設定情報を更新することを特徴とする請求項１又は２記載の画像形成装置。
【請求項４】
前記制御部は、ユーザにより、前記設定確認画面において表示されている選択肢のうち既に選択されている選択肢と異なる選択肢が選択された場合に、前記表示部に、設定状態の変更を確認する旨の所定の表示がなされた変更確認画面を表示させ、ユーザが、前記表示部に、前記変更確認画面が表示されている際に、設定状態の変更の可否を入力するための入力部を備え、
前記制御部は、前記入力部により設定状態の変更を可とする入力がなされた場合に、前記プリントジョブに対する前記機能の設定情報を更新することを特徴とする請求項３に記載の画像形成装置。 
【発明の詳細な説明】
【技術分野】
【０００１】
本発明は、画像形成装置にかかるものである。
【背景技術】
【０００２】
従来、印刷業界においては、一度に多部数のプリントが行われるため、例えば、外部機器から画像形成装置にプリントジョブを送信して画像形成装置にプリントさせる場合に、画像形成装置における各種の設定が所望するものと異なるままプリントがなされると、多部数のプリントが無駄となってしまう。そこで、外部機器から画像形成装置にプリントジョブを送信して画像形成装置にプリントさせる場合に、画像形成装置において設定確認画面を表示してプリント実行を待機するウェイト機能や、１部だけ試しプリントを行って設定確認画面を表示してプリント実行を待機するプルーフ機能があり、プリント実行前に設定確認を行えるようになっている。
このような画像形成装置としては、例えば、予め機能の設定を行うために選択された選択肢のみを設定確認画面に表示する画像形成装置が知られている（例えば、特許文献１）。
具体的には、通常、ウェイト機能やプルーフ機能で表示される設定確認画面には、例えば、図６に示すように、部数に関する設定状態、印刷面に関して選択されている選択肢、トレイＮｏ．に関して選択されている選択肢，出力機能に関して選択されている選択肢，スタンプ機能に関して選択されている選択肢が表示されるとともに、各機能の設定を変更するためのアイコン（例えば、図６における、両面，トレイＮｏ．，出力設定，スタンプと表示されたアイコン）が表示されている。
そして、当該設定確認画面において、ステープルの位置の設定を変更する場合には、まず、ユーザが出力設定のアイコンを選択することによって、例えば、図７に示すように、出力に関する選択肢の選択を行う出力設定画面が設定確認画面に重畳して表示される。
出力設定画面には、例えば、図７に示すように、両面とじ方向，排紙面，排紙順序等の機能についての設定状態を変更するためのアイコン（選択肢）が表示されるとともに、後処理装置における各機能の設定状態を変更するためのアイコン（例えば、図７における、ステープル，中とじ，重ね中折り，折り，重ね三つ折り，ソート，グループ，くるみ製本，パンチ穴，ＨＤＤ保存と表示されたアイコン）が表示されている。そして、ユーザがステープル機能について設定状態を変更するためのアイコン（選択肢）を選択することによって、例えば、図８に示すように、ステープル機能に関する設定状態の変更を行うステープル設定画面が設定確認画面及び出力設定画面に重畳して表示される。
ステープル設定画面には、例えば、図８に示すように、ステープルを施す位置を選択するためのアイコン（選択肢）が表示されている。具体的には、１ヶ所にステープルを施す場合のステープルの位置を設定するためのアイコンとして、左上，右上を選択するための左上，右上と表示されたアイコンと、２ヶ所にステープルを施す場合のステープルの位置を選択するためのアイコンとして、左，上，右を選択するための左，上，右と表示されたアイコンが表示されており、予め設定されていた左上のアイコンが反転表示されている。そして、ユーザが当該ステープル設定画面において所望するステープルの位置のアイコンを選択することによって、ステープルの位置の設定を変更できるようになっている。
【特許文献１】特許第３３１４７７３号公報
【発明の開示】
【発明が解決しようとする課題】
【０００３】
しかしながら、設定確認画面には、予め機能の設定を行うために選択された選択肢しか表示されないため、当該設定確認画面からユーザが当該設定確認画面に表示されている機能についての他の選択肢を認識することはできない。例えば、ステープルについては、設定確認画面には、左上１ヶ所としか表示されていないため、ユーザは、ステープル設定画面を表示させるまでは、ステープルを施す位置として、右上１ヶ所，左２ヶ所，上２ヶ所，右２ヶ所に変更可能であることを認識することはできず、設定確認画面では機能の変更等の必要性を容易に判断できない。また、設定確認画面には、選択されず設定されていない機能についての選択肢は表示されないため、当該設定確認画面からユーザが設定可能な機能を全て認識することはできない。例えば、ソート機能については選択肢が選択されず設定されていない場合には、設定確認画面にはソート機能についての他の選択肢は表示されないため、ユーザは、出力設定画面を表示させるまでは、ソート機能についての他の選択肢が選択可能であることを認識することはできない。よって、設定確認画面では機能の追加や変更の必要性を容易に判断できない。
【０００４】
本発明の課題は、プリントジョブに対して設定されている機能の設定状態を正確に把握でき、当該機能の変更等の必要性を容易に判断できる画像形成装置を提供することである。
【課題を解決するための手段】
【０００５】
請求項１に記載の発明は、外部から送信されるプリントジョブを受信するコントローラと、前記プリントジョブに基づいてプリントを行うプリント部と、を備える画像形成装置において、
前記プリントジョブに、前記プリント部によるプリント実行を待機させる待機情報が含まれているか否かを判断し、前記プリントジョブに前記待機情報が含まれていると判断した場合に、表示部に、前記プリントジョブに対して設定されている設定状態を表示すると共に設定可能な全ての選択肢を一画面で表示する設定確認画面を表示させる制御部を備えることを特徴としている。
【０００６】
請求項２に記載の発明は、請求項１に記載の画像形成装置において、
前記制御部は、
前記画像形成装置における機能に関して、前記機能を設定しないことを示す選択肢を前記設定確認画面に表示させることを特徴としている。
【０００７】
請求項３に記載の発明は、請求項１又は２に記載の画像形成装置において、
ユーザにより、前記設定確認画面において表示されている選択肢のうち所望する選択肢が選択された際に、前記制御部は、ユーザによる選択に基づいて、前記プリントジョブに対する前記機能の設定情報を更新することを特徴としている。
【０００８】
請求項４に記載の発明は、請求項３に記載の画像形成装置において、
前記制御部は、ユーザにより、前記設定確認画面において表示されている選択肢のうち既に選択されている選択肢と異なる選択肢が選択された場合に、前記表示部に、設定状態の変更を確認する旨の所定の表示がなされた変更確認画面を表示させ、ユーザが、前記表示部に、前記変更確認画面が表示されている際に、設定状態の変更の可否を入力するための入力部を備え、
前記制御部は、前記入力部により設定状態の変更を可とする入力がなされた場合に、前記プリントジョブに対する前記機能の設定情報を更新することを特徴としている。
【発明の効果】
【０００９】
請求項１に記載の発明によれば、ユーザは、設定確認画面のみを確認するだけで、設定状態として、プリントジョブに対して設定されている選択肢の他に、設定可能な全ての選択肢を確認することができ、プリントジョブに対して設定されてる機能の設定状態を正確に把握でき、当該機能の変更等の必要性を容易に判断することができる。
【００１０】
請求項２に記載の発明によれば、請求項１に記載の発明と同様の効果が得られることは勿論のこと、特に、ユーザは、設定確認画面から、設定していない機能についても認識することができ、機能の追加の必要性についても容易に判断することができるとともに、設定し忘れを防止することができる。
【００１１】
請求項３に記載の発明によれば、請求項１又は２に記載の発明と同様の効果が得られるのは勿論のこと、特に、設定確認画面においてユーザが選択肢を選択するだけで設定変更でき、設定変更をより容易に行うことができる。
【００１２】
請求項４に記載の発明によれば、請求項３に記載の発明と同様の効果が得られるのは勿論のこと、特に、設定確認画面においてユーザが選択肢の選択を間違えても、間違えた選択肢に設定情報が更新されずに済み、使い勝手がよい。
【発明を実施するための最良の形態】
【００１３】
以下、図面を参照して本発明の最良の形態について詳細に説明する。ただし、発明の範囲は、図示例に限定されない。また、限定的な表現をする場合があるが、これに限られるものではない。
【００１４】
本発明に係る画像形成装置１００は、例えば、図１に示すように、スキャナ部１，プリント部２，ＦＮＳ３，操作部４，制御基板５等を備えている。
【００１５】
スキャナ部１は、例えば、原稿に対し光を照射し、反射される光をＣＣＤ（Charged  Coupled  Device）やＣＭＯＳ（Complementary  Metal-Oxide  Semiconductor）等の光電変換装置で捉え、捉えたアナログの電気信号から図示しないＡ／Ｄ変換器によりデジタル信号（画像信号）に変換し、読取処理部５１に出力することにより、原稿の読み取りを行う。
【００１６】
プリント部２は、例えば、電子写真プロセス等により各種の画像形成を行う公知の画像形成機構から構成されるものである。なお、プリント部２はこれに限定されるものではなく、インク吐出方式や感熱方式等の種々の画像形成機構を適用することができる。
また、画像形成装置１００には、例えば、プリント部２により画像が形成された記録媒体にステイプルや中綴じ等の後処理を施すＦＮＳ（フィニッシャ）３が設けられる。
そして、プリント部２は、例えば、制御部５６（後述）から入力される制御信号に従って記録媒体に画像形成を行うことにより、プリントジョブに基づいてプリントを行う。
【００１７】
操作部４は、例えば、表示部４１，赤外線式や静電式のタッチパネル（図示省略）や各種の操作キー（図示省略）を備えて構成され、ユーザにより操作されることにより各種の操作信号を制御部５６に出力する。
表示部４１は、例えば、ＣＲＴ（Cathode  Ray  Tube）から構成されるディスプレイあるいはＴＦＴ（Thin  film  Transistor）素子や有機ＥＬ（Electro  Luminescent）素子等から構成されるＦＰＤ（Flat  Display  Panel）等を備えて構成されている。また、表示部４１は、制御部５６から出力される表示信号に基づいて、画像形成装置１００の操作メッセージを始めとした各種の案内を表す文章や単語、操作に供する操作画面（図示省略）の画像を表示する。また、表示部４１は、例えば、タッチパネルから構成される操作部４と一体に構成されており、ユーザは、表示部４１に表示された操作画面の各種ボタンを押下することで入力指示を行うようになっている。
【００１８】
具体的には、表示部４１は、例えば、制御部５６から出力される表示信号に基づいて、設定確認画面Ｇ１，変更確認画面Ｇ２等を表示する。より具体的には、設定確認画面Ｇ１には、例えば、図２に示すように、画像形成装置１００における少なくとも１つ以上の機能に関して設定可能な選択肢、及び、プリントジョブに対して設定されている設定状態として既に選択されている選択肢が表示され、ユーザが操作部４を操作して、何れかの選択肢を選択することにより、表示部４１に表示された設定確認画面Ｇ１において表示されている選択肢のうちユーザが所望する選択肢を選択する操作信号が制御部５６に入力される。
また、変更確認画面Ｇ２には、例えば、図３に示すように、設定状態の変更を確認する旨の所定の表示とともに、変更の可否を入力するための入力部として、それぞれ「はい」，「いいえ」と表示されたアイコンが表示され、ユーザが操作部４を操作して「はい」，「いいえ」の何れかのアイコンが選択されることにより、設定状態の変更を可とする又は否とする操作信号が制御部５６に入力される。
【００１９】
制御基板５は、例えば、図１に示すように、読取処理部５１，書込処理部５２，ＶＲＡＭ（Video  Random  Access  Memory）５３，表示制御部５４，プリントコントローラ５５，制御部５６，記憶部５７等を備えて構成されている。
【００２０】
読取処理部５１は、例えば、スキャナ部１から入力される画像信号にシェーディング処理等の各種処理を施し、制御部５６に出力する。
【００２１】
書込処理部５２は、例えば、入力される画像データに基づいて、画像形成のためのプリントデータを生成し、プリント部２に出力する。
【００２２】
ＶＲＡＭ５３は、例えば、制御部５６から入力される画面データに対して所定の画像処理を施し、表示部４１に当該画面データを送信するバッファである。
【００２３】
表示制御部５４は、例えば、ＣＰＵ（Central  Processing  Unit）やＭＰＵ（Micro  Processing  Unit）等を備えて構成され、制御部５６からの表示信号に基づいて、表示部４１の輝度調節などの画像表示制御を行う。
【００２４】
プリントコントローラ５５は、例えば、ＬＡＮＩＦ（Local  Area  Network  Interface）等を備えて構成されており、画像形成装置１００は、当該プリントコントローラ５５を介して、ネットワーク（図示省略）上のＰＣ等の外部機器と通信可能に接続され、外部機器から送信されるプリントジョブを受け付ける。
【００２５】
制御部５６は、例えば、ＣＰＵ（Central  Processing  Unit）５６１、ＲＡＭ（Random  Access  Memory）５６２、ＲＯＭ（Read  Only  Memory）５６３等を備えて構成され、ＲＯＭ５６３に格納された処理プログラム等を読み出して、ＲＡＭ５６２に展開して実行することにより、画像形成装置１００全体の制御を行う。
【００２６】
具体的には、制御部５６は、例えば、プリントコントローラ５５により受信された、外部から送信されるプリントジョブに、プリント部２によるプリント実行を待機させる待機情報が含まれているか否かを判断する。
より具体的には、制御部５６は、例えば、プリントコントローラ５５により受信されたプリントジョブに、待機情報として、ウェイト情報又はプルーフ情報が含まれているか否かを判断する。ここで、ウェイト情報とは、ユーザにより操作部４のスタートボタン（図示省略）が押下されるまで、プリントジョブに基づくプリントの実行を待機させることを示す待機情報である。また、プルーフ情報とは、プリントジョブに基づいて１部だけプリントを実行させた後、ユーザにより操作部４のスタートボタンが押下されるまで、プリントジョブに基づくプリントの実行を待機させることを示す待機情報である。
【００２７】
また、制御部５６は、例えば、プリントジョブにウェイト情報又はプルーフ情報が含まれていると判断した場合に、表示制御部５４を制御して、当該プリントジョブに対して設定されている設定状態（プリントジョブに対する画像形成装置１００の機能の設定情報）を表示すると共に設定可能な全ての選択肢を一画面で表示する設定確認画面Ｇ１を表示部４１に表示させる。
具体的には、プリントジョブに対する画像形成装置１００の機能の設定情報は、例えば、画像形成装置１００においてデフォルトの設定状態として選択されている選択肢についての情報が、プリントジョブに含まれている当該プリントジョブに対して設定されている設定状態として既に選択されている選択肢についての情報に基づいて更新されることにより生成され、ＲＡＭ５６２に一時的に記憶されるようになっている。そして、制御部５６が、プリントジョブに対する画像形成装置１００の機能の設定情報に基づいて、設定確認画面Ｇ１が一画面で表示部４１に表示されるようになっている。
ここで、表示部４１に表示された設定確認画面Ｇ１の一例を図２に示す。設定確認画面Ｇ１には、例えば、図２に示すように、画像形成装置１００の給紙トレイに関する情報，印刷部数に関する設定状態，出力機能に関して設定可能な選択肢（アイコン），応用機能に関して設定可能な選択肢（アイコン）が表示されており、プリントジョブに対して設定されている設定状態として既に選択されている選択肢（アイコン）は、例えば、他の選択肢（アイコン）とは異なる色で表示され、他の選択肢（アイコン）と識別可能に表示されている。例えば、図２に示す設定確認画面Ｇ１では、出力機能の１つであるステープル機能に関して設定可能な選択肢として、「しない」，「左上１ヶ所」，「右上１ヶ所」，「左２ヶ所」，「上２ヶ所」，「右２ヶ所」のアイコンが表示されており、プリントジョブに対して設定されている選択肢である「左上１ヶ所」のアイコンは、他の選択肢のアイコンとは異なる色で表示されて、設定されていることを識別できるように表示されている。また、「しない」と表示されたアイコンは、当該機能（ここでは、ステープル機能）を設定しないことを示す選択肢である。
また、設定確認画面Ｇ１では、画像形成装置１００の給紙トレイに関する情報として、例えば、画像形成装置１００の給紙トレイを示す「トレイ１」，「トレイ２」，「トレイ３」，「トレイ４」，「トレイ５」等のアイコンが表示され、それぞれのアイコンの横に、当該トレイに収容されている記録媒体のサイズ，種類，質量が表示されるようになっている。
また、設定確認画面Ｇ１では、例えば、当該画像形成装置１００におけるデフォルトの設定状態として選択されている選択肢がプリントジョブに対して設定されている場合に、当該選択肢を、デフォルトの設定状態として選択されていない選択肢であって、プリントジョブに対して設定されている設定状態として既に選択されている選択肢よりも薄く、且つ、デフォルトの設定状態として選択されていない選択肢であって、プリントジョブの設定状態としても選択されていない選択肢よりも濃い色で表示されて、設定されていることを識別できるように表示されている。また、設定確認画面Ｇ１では、例えば、画像形成装置１００におけるデフォルトの設定状態として設定されている選択肢は、各機能において設定可能な選択肢のうち、一番左側に表示されるようになっている。
【００２８】
また、制御部５６は、例えば、表示部４１に表示されている設定確認画面Ｇ１において、ユーザが操作部４を操作することにより、当該設定画面において表示されている選択肢のうち既に選択されている選択肢と異なる選択肢が選択された場合に、表示部４１を制御して、設定状態の変更を確認する旨の所定の表示がなされた変更確認画面Ｇ２を表示させる。
ここで、表示部４１に表示された変更確認画面Ｇ２の一例を図３に示す。図３では、ステープル機能に関する選択肢として既に「左上１ヶ所」が設定されていることを示す設定確認画面Ｇ１において、ユーザが操作部４を操作することにより、ステープル機能に関する選択肢のうち「右上１ヶ所」のアイコンを選択した場合に表示される変更確認画面Ｇ２を示す。変更確認画面Ｇ２は、例えば、図３に示すように、設定確認画面Ｇ１に重畳して表示される。また、変更確認画面Ｇ２には、設定状態の変更を確認する旨の所定の表示として、例えば、「ステープルの設定を「左１ヶ所」から「右１ヶ所」に変更します。よろしいですか？」等の表示とともに、変更の可否を入力するためのアイコンとして、それぞれ「はい」，「いいえ」と表示されたアイコンが表示されている。
【００２９】
また、制御部５６は、例えば、ユーザが操作部４を操作することによって、変更確認画面Ｇ２において「はい」のアイコンが選択されることにより、設定状態の変更を可とする操作信号が入力され、プリントジョブに対する画像形成装置１００の機能の設定情報が更新された場合に、表示部４１を制御して、更新された当該設定情報に対応する設定確認画面Ｇ１を表示させる。
ここで、プリントジョブに対する画像形成装置１００の機能の設定情報が更新された場合に表示される設定確認画面Ｇ１の一例を図４に示す。図４では、図３に示す変更確認画面Ｇ２において「はい」のアイコンが選択された場合に表示される設定確認画面Ｇ１を示す。プリントジョブに対する画像形成装置１００の機能の設定情報が更新された場合に表示部４１に表示される設定確認画面Ｇ１には、図２と同様に、画像形成装置１００の給紙トレイに関する情報，印刷部数に関する設定状態，出力機能に関して設定可能な選択肢，応用機能に関して設定可能な選択肢が表示されており、例えば、図４では、ステープル機能に関する設定状態として、更新後の設定状態が表示されている。具体的には、図４では、ステープル機能に関して設定可能な選択肢として、「しない」，「左上１ヶ所」，「右上１ヶ所」，「左２ヶ所」，「上２ヶ所」，「右２ヶ所」のアイコンが表示されており、プリントジョブに対して設定されている設定状態として、「右上１ヶ所」のアイコンが、他の選択肢（アイコン）とは異なる色で表示されている。
【００３０】
また、制御部５６は、例えば、ユーザが操作部４を操作することにより、設定確認画面Ｇ１に表示されている選択肢のうち既に選択されている選択肢と異なる選択肢を選択する操作信号が入力され、変更確認画面Ｇ２において、設定状態の変更を可とする操作信号が入力された場合に、選択確認画面において新たな選択肢を選択する操作信号に基づいて、プリントジョブに対する画像形成装置１００の機能の設定情報を更新する。
具体的には、制御部５６は、選択確認画面において新たな選択肢を選択する操作信号に基づいて、ＲＡＭ５６２に記憶されている画像形成装置１００の機能の設定情報を書き換える。
【００３１】
また、制御部５６は、例えば、プリントジョブにウェイト情報が含まれていると判断した場合に、プリント部２を制御して、ユーザにより操作部４のスタートボタン（図示省略）が押下されるまで、当該プリントジョブに基づくプリントの実行を待機させる。また、制御部５６は、例えば、プリントジョブにプルーフ情報が含まれていると判断した場合に、プリント部２を制御して、当該プリントジョブに基づいて１部だけプリントを実行させた後、ユーザにより操作部４のスタートボタンが押下されるまで、プリントジョブに基づくプリントの実行を待機させる。
【００３２】
記憶部５７は、例えば、ＤＲＡＭ（Dynamic  RAM）等を備えて構成され、圧縮画像データを格納するとともに、プリント出力前のプリント出力対象の被圧縮画像データを一時的に格納している。また、ＲＡＭ５６２は、画像形成装置１００の機能の設定に関する選択肢のうち何れの選択肢がデフォルトで選択されているかについての情報、及び、プリントジョブに対して設定されている設定状態についての情報（設定情報）を記憶している。
【００３３】
次に、上述のような構成の本実施形態に係る画像形成装置１００における設定確認・設定変更動作の一例を図５に示すフローチャートを参照しながら説明する。
まず、プリントコントローラ５５により、プリントジョブが受信されると（ステップＳ１）、制御部５６は、プリントジョブにウェイト情報が含まれているか否かを判断する（ステップＳ２）。
【００３４】
ステップＳ２において、制御部５６が、プリントジョブにウェイト情報が含まれていると判断した場合には（ステップＳ２；Ｙｅｓ）、制御部５６は、プリント部２を制御して、当該プリントジョブに基づくプリントの実行を待機させ、ステップＳ６に進む。
ステップＳ２において、制御部５６が、プリントジョブにウェイト情報が含まれていないと判断した場合には（ステップＳ２；Ｎｏ）、制御部５６は、プリントジョブにプルーフ情報が含まれているか否かを判断する（ステップＳ３）。
【００３５】
ステップＳ３において、制御部５６が、プリントジョブにプルーフ情報が含まれていないと判断した場合には（ステップＳ３；Ｎｏ）、制御部５６は、プリント部２を制御して、当該プリントジョブに基づくプリントを実行させ（ステップＳ４）、本処理を終了する。
ステップＳ３において、制御部５６が、プリントジョブにプルーフ情報が含まれていると判断した場合には（ステップＳ３；Ｙｅｓ）、制御部５６は、プリント部２を制御して、当該プリントジョブに基づくプリントを１部だけ実行させた後、当該プリントジョブに基づくプリントの実行を待機させる（ステップＳ５）。
【００３６】
次に、制御部５６は、表示制御部５４を介して表示部４１を制御して、例えば、図２に示すような設定確認画面Ｇ１を表示させる（ステップＳ６）。
【００３７】
次に、制御部５６は、表示部４１に表示された設定確認画面Ｇ１において、ユーザが操作部４を操作することにより、既に選択されている選択肢と異なる選択肢が選択されたか否かを判断する（ステップＳ７）。
【００３８】
ステップＳ７において、制御部５６が、既に選択されている選択肢と異なる選択肢が選択されたと判断した場合には、制御部５６は、表示部４１を制御して、例えば、図３に示すような変更確認画面Ｇ２を表示させる（ステップＳ８）。
【００３９】
次に、制御部５６は、表示部４１に表示された変更確認画面Ｇ２において、ユーザが操作部４を操作することにより、「はい」のアイコンが選択されたか否かを判断する（ステップＳ９）。
【００４０】
ステップＳ９において、制御部５６が、変更確認画面Ｇ２において「いいえ」のアイコンが選択されたと判断した場合には（ステップＳ９；Ｎｏ）、制御部５６は、プリントジョブに対する画像形成装置１００の機能の設定情報を変更せず、当該変更確認画面Ｇ２を閉じて（ステップＳ１０）、ステップＳ６に戻る。
ステップＳ９において、制御部５６が、変更確認画面Ｇ２において「はい」のアイコンが選択されたと判断した場合には（ステップＳ９；Ｙｅｓ）、制御部５６は、ステップＳ７における選択に基づいて、プリントジョブに対する画像形成装置１００の機能の設定情報を更新し、当該変更確認画面Ｇ２を閉じて（ステップＳ１１）、ステップＳ６に戻る。
【００４１】
ステップＳ７において、制御部５６が、既に選択されている選択肢と異なる選択肢が選択されていないと判断した場合には、制御部５６は、操作部４のスタートボタン（図示省略）が押下されたか否かを判断する（ステップＳ１２）。
【００４２】
ステップＳ１２において、制御部５６が、スタートボタンが押下されていないと判断した場合には（ステップＳ１２；Ｎｏ）、ステップＳ７に戻る。
ステップＳ１２において、制御部５６が、スタートボタンが押下されたと判断した場合には（ステップＳ１２；Ｙｅｓ）、制御部５６は、プリント部２を制御して、当該プリントジョブに基づくプリントを実行させ（ステップＳ１３）、本処理を終了する。
【００４３】
以上に説明した、本実施形態に係る画像形成装置１００によれば、制御部５６により、プリントジョブに、プリント部２によるプリント実行を待機させるウェイト情報又はプルーフ情報が含まれているか否かが判断され、制御部５６により、プリントジョブにウェイト情報又はプルーフ情報が含まれていると判断された場合に、表示部４１に、プリントジョブに対して設定されている設定状態を表示すると共に設定可能な全ての選択肢を一画面で表示する設定確認画面Ｇ１が表示されるので、ユーザは、設定確認画面Ｇ１のみを確認するだけで、プリントジョブに対して設定されている選択肢の他に、設定可能な選択肢を確認することができ、プリントジョブに対して設定されている機能の設定状態を正確に把握でき、当該機能の変更等の必要性を容易に判断することができる。
【００４４】
また、制御部５６により、表示部４１に、画像形成装置１００における機能に関して設定可能な選択肢とともに、当該機能を設定しないことを示す選択肢を一画面で表示する設定確認画面Ｇ１が表示されるので、ユーザは、設定確認画面Ｇ１から、設定していない機能についても認識することができ、機能の追加の必要性についても容易に判断することができるとともに、設定し忘れを防止することができる。
【００４５】
また、ユーザが操作部４を操作することにより、設定確認画面Ｇ１において表示されている選択肢のうちユーザが所望する選択肢が選択され、制御部５６により、ユーザが操作部４を操作することによる選択に基づいて、プリントジョブに対する機能の設定情報が更新されるので、設定確認画面Ｇ１においてユーザが選択肢を操作部４を操作することにより選択するだけで設定変更でき、設定変更をより容易に行うことができる。
【００４６】
また、制御部５６により、ユーザが操作部４を操作することによって、設定確認画面Ｇ１において表示されている選択肢のうち既に選択されている選択肢と異なる選択肢が選択された場合に、表示部４１に、設定状態の変更を確認する旨の所定の表示がなされた変更確認画面Ｇ２が表示され、ユーザが操作部４を操作することにより、表示部４１に変更確認画面Ｇ２が表示されている際に、設定状態の変更の可否が入力され、制御部５６により、ユーザが操作部４を操作することによって設定状態の変更を可とする入力がなされた場合に、ユーザが操作部４を操作することによる選択に基づいて、プリントジョブに対する機能の設定情報が更新されるので、設定確認画面Ｇ１においてユーザが選択肢の選択を間違えても、間違えた選択肢に設定情報が更新されずに済み、使い勝手がよい。
【００４７】
なお、設定確認画面Ｇ１において、既に選択されている選択肢と異なる選択肢が選択された場合には、表示部４１に変更確認画面Ｇ２が表示されることとしたが、変更確認画面Ｇ２の表示は必須ではない。
【図面の簡単な説明】
【００４８】
【図１】本発明に係る画像形成装置の構成の一例を示すブロック図である。
【図２】本発明に係る設定確認画面の一例を示す図である。
【図３】本発明に係る変更確認画面の一例を示す図である。
【図４】本発明に係る設定確認画面の一例を示す図である。
【図５】本発明に係る画像形成装置の設定確認・設定変更動作を説明するためのフローチャートである。
【図６】従来の画像形成装置の設定確認画面の一例を示す図である。
【図７】従来の画像形成装置の出力設定画面の一例を示す図である。
【図８】従来の画像形成装置のステープル設定画面の一例を示す図である。
【符号の説明】
【００４９】
２  プリント部
５５  プリントコントローラ
５６  制御部
１００  画像形成装置
Ｇ１  設定確認画面
Ｇ２  変更確認画面
【図１】
2008179113.tif 000003
【図２】
2008179113.tif 000004
【図３】
2008179113.tif 000005
【図４】
2008179113.tif 000006
【図５】
2008179113.tif 000007
【図６】
2008179113.tif 000008
【図７】
2008179113.tif 000009
【図８】
2008179113.tif 000010